(57)【要約】      （修正有）【課題】ケース内から引き出される測定用テープの長さに係わらず、該引き出し位置で測定用テープから手を離し、または、制動手段による制動を解除するだけで、使用者が安全と感じる適当な速度で該測定用テープをケース内に引き込むことができる巻尺を提供する。【解決手段】回転ダンパ１と、ケース内の軸に回転自在に支持される回転ドラム３とを接続し、回転ドラム３が、内装するぜんまいばねによって測定用テープ２をケース内に引き込む方向に回転したときに、回転ダンパ１の回転反力（回転抵抗）を受動できるようにする。【選択図】図１
0003202482.tif 000002
【実用新案登録請求の範囲】
【請求項１】
回転自在に支持される巻き回収容体から引き出した測定用テープを、ぜんまいばねに蓄積された付勢力を解放することによって該巻き回収容体に巻き取れるように構成された自動巻き取り式の巻尺であって、回転ダンパに、ぜんまいばねの解放された付勢力で作動する被作動体の動きを伝達させることによって測定用テープの巻き取り速度を制御するように構成された巻尺において、前記回転ダンパがオイルの粘性を利用するものであることを特徴とする巻尺。
【考案の詳細な説明】
【技術分野】
【０００１】
本考案は、引き出された測定用テープを自動で巻き取る自動巻き取り式の巻尺に関し、特に、安全な速度で巻き取ることができる巻尺の測定用テープ巻き取り速度の制御方法に関する。
【背景技術】
【０００２】
従来、自動巻き取り式の巻尺は、測定用テープをケース外に引き出すことにより、ケース内に回転自在に配設され、該測定用テープを周囲に巻き回する回転ドラムに内装しているぜんまいばねが付勢され、該ぜんまいばねに、ケース外の測定用テープをケース内に引き込むと共に、該回転ドラムの周囲に巻き回するための力が蓄積されるようになっている。
【０００３】
これにより、ケース外に引き出した測定用テープから手を離し、または、制動手段による制動を解除すると、ぜんまいばねに蓄積された力が解放され、該ぜんまいばねの初期状態への復帰力によって回転ドラムが回転し、ケース外に引き出されている測定用テープがケース内に引き込まれると共に、該回転ドラムの周囲に巻き回されて収納される。
【０００４】
そして、ぜんまいばねは、回転ドラムを回転させてケース外に引き出した測定用テープをケース内に引き込むと共に、回転ドラムの周囲に巻き回するための力を要求され、しかも、該力を長期に渡り確実に発生させなければならないことから、強力なトルクを発生できるものを用いている。
【０００５】
また、ぜんまいばねの特性として、測定用テープを長く引き出せば引き出すほど非常に大なる力がぜんまいばねに蓄積されるため、従って、測定用テープに金属テープを用いるものは、１メートル程の引き出し長さの測定用テープをケース内に引き込む場合でも、引き込み速度が加速されて速い速度でケース内に引き込まれ、また、２メートル３メートルとより長く引き出した測定用テープがケース内に引き込まれる場合は、さらに引き込み速度が加速されて非常に速くなる。
【０００６】
そして、ケース内に引き込まれる測定用テープは、該測定用テープの先端フックがケースの測定用テープ出入り口に備えるダンパに当接して停止するため、該先端フックに掛かる衝撃が非常に強く、これにより、先端フックにストレスが蓄積し、巻尺の耐用年数よりも早くに損傷また破損してしまうことがあった。
【０００７】
また、測定用テープが非常に速い速度でケース内に引き込まれることから、測定用テープが暴れて跳ね返り、その跳ね返った測定用テープや測定用テープの先端フックさらにはテープのエッジが使用者や周囲の者に当って打撲や裂傷などの怪我を負うことがあった。
【０００８】
また、測定形態として、測定用テープをヘアピン状や所望の角度に曲げて長さ測定を行うこともあり、このとき、測定用テープが非常に速い速度でケース内に引き込まれると、ヘアピン状や所望の角度に曲げられた部位が自己復帰力により直線状に戻る間もなく同部位がケース内に引き込まれ、測定用テープにテープ折れが生じることがあった。
【０００９】
そして、上述する問題を解決すべく、例えば、特許文献１、２参照の発明が提案されている。
【先行技術文献】
【特許文献】
【００１０】
【特許文献１】特開平０８−００５３０１号公報
【特許文献２】特開２００２−０３１５０１号公報
【考案の概要】
【考案が解決しようとする課題】
【００１１】
本考案の目的とするところは、ケース内から引き出される測定用テープの長さに係わらず、該引き出し位置で測定用テープから手を離し、または、制動手段による制動を解除するだけで、使用者が安全と感じる適当な速度で該測定用テープをケース内に引き込める測定用テープ巻き取り速度の制御方法を提供できるようにすることにある。
【課題を解決するための手段】
【００１２】
上述した課題を解決するために、本考案に係る巻尺の測定用テープ巻き取り速度の制御方法は、回転自在に支持される巻き回収容体から引き出した測定用テープを、ぜんまいばねに蓄積された付勢力を解放することによって該巻き回収容体に巻き取れるように構成した自動巻き取り式の巻尺であって、回転ダンパに、ぜんまいばねの解放された付勢力で作動する被作動体の動きを伝達させることによって測定用テープの巻き取り速度を制御することを特徴とするものである。
【００１３】
巻尺は、目盛を表示した測定用テープが、例えば、軸などの支持体に回転自在に支持される巻き回収容体に積層状に巻き回されていて、該巻き回収容体から測定用テープを引き出していくことによって適所に設けられているぜんまいばねが巻かれて該ぜんまいばねに付勢力が蓄積されていき、また、同蓄積された付勢力を解放するとぜんまいばねが初期状態に復帰し、且つ、巻き回収容体が所定の方向に回転して引き出されている測定用テープを巻き取るようになっている。
【００１４】
そして、上述する巻尺に所定の回転ダンパを設けて、該回転ダンパに、ぜんまいばねの解放された付勢力で作動する被作動体の動きを伝達させる。
【００１５】
回転ダンパとは、いわゆる回転系のダンパで、例えば、オイルの粘性抵抗によって発生する制動力を利用したもの、また、遠心クラッチ（例えば、遠心力が掛かると、擦動体が被擦動部材に接触してブレーキが掛かるようにしたものなど）を利用したものがある。
【００１６】
また、永久磁石や電磁石などによる磁力や磁気を利用した回転型のダンパ（磁気利用は磁気摩擦式など）や、電気を利用した回転型のダンパ（印加電圧によって粘性を変化させる電気粘性流体式など）を応用してもよい。
【００１７】
特に、回転ダンパの形態や経済性などを考慮すれば、オイルの粘性抵抗を利用した回転ダンパ（使用回転速度によって発生するトルクが変化する）が適しており、すなわち、回転速度が低速の場合は制動トルクが小で、回転速度が上昇するにしたがい制動トルクが増大していく速度特性を有していることから、巻尺における測定用テープの巻き取り速度を制御する場合に適する。
【００１８】
したがって、適当な制動トルクを有する回転ダンパに、ぜんまいばねの解放された付勢力で作動する被作動体の動きを伝達させることにより、測定用テープの巻き取り速度の加速を抑制することが可能になる。
【００１９】
なお、測定用テープの巻き取り速度は、制動トルクの大きさを適当に選定することにより、すなわち、所望する測定用テープの巻き取り速度に調節可能な制動トルクを有する回転ダンパを選定して用いることで調整すればよい。
また、回転ダンパの選定だけでは測定用テープの巻き取り速度が所望の速度にならない場合は、公知の回転伝達比率変更手段を用いて調整すればよい。
【００２０】
そして、回転ダンパの前段に、外部から調整可能に回転伝達比率を変更可能な変速機などの回転伝達比率変更手段を配設して、使用者自身で測定用テープの巻き取り速度を変更できるようにしてもよい。
【００２１】
また、回転ダンパを、被作動体の動きが常に伝達されるように配設する場合は、一方向に対して回転反力（回転抵抗）が生じる回転ダンパを用い、被作動体の特定の動きだけが伝達されるように配設する場合は、双方向に対して回転反力（回転抵抗）が生じる回転ダンパを用いればよい。
【００２２】
被作動体とは、ぜんまいばねの解放された付勢力により作動するもので、例えば、巻き回収容体や測定用テープなどがある。
他、ぜんまいばねや巻き回収容体の配設形態によっては、歯車やベルトなどの回転伝達部材も被作動体に含まれる。
【００２３】
そして、回転ダンパに被作動体の動きを伝達させる場合も、巻き回収容体や測定用テープに、直接あるいは間接に接続すればよく、巻尺の本体たるケースの大きさや形状などにより決めればよい。
【００２４】
また、巻尺の一般形態は、２つ割りケースの一方内部に立設される軸に、測定用テープを周囲に巻き回する巻き回収容体たる回転ドラムが回転自在に支持（軸支）されて、この回転ドラム内にぜんまいばねが設けられると共に、該ぜんまいばねの一方が前記軸に接続され、他方が回転ドラム乃至回転ドラムに巻き回する測定用テープに接続されている。
【００２５】
そして、回転ドラムの周囲に巻き回する測定用テープをケース外に引き出していくことによって回転ドラム内のぜんまいばねが巻かれて該ぜんまいばねに付勢力が蓄積されていき、また、同蓄積された付勢力を解放するとぜんまいばねが初期状態に復帰する動作に移行し、同時に回転ドラムが測定用テープの引き出し方向とは反対の方向に回転して引き出されている測定用テープをケース内に引き込んで該回転ドラムの周囲に巻き回する。
【００２６】
したがって、このような一般的な巻尺の場合は、回転ダンパに、ぜんまいばねの解放された付勢力で作動する被作動体たる回転ドラムや測定用テープの動きを伝達すればよい。
また、回転ドラムの動きとは、少なくとも測定用テープの巻き取り方向の回転動であり、測定用テープの動きとは、少なくとも測定用テープの引き込み方向の直線動である。
【考案の効果】
【００２７】
本考案の巻尺の測定用テープ巻き取り速度の制御方法によれば、測定用テープの巻き取り速度の加速を抑制できるので、ケース内から引き出される測定用テープの長さに係わらず、該引き出し位置で測定用テープから手を離し、または、制動手段による制動を解除するだけで、使用者が安全と感じる速度で該測定用テープをケース内に引き込むことができる。
【００２８】
したがって、測定用テープの巻き取り速度の加速を抑制できるので、該測定用テープの先端フックが巻尺本体たるケースの測定用テープ出入り口に備えるダンパに当接して停止するときの衝撃が非常に小なるものになり、該衝撃が原因となる先端フックの損傷また破損を防止できる。
【００２９】
さらに、前記衝撃が原因となっていたケースの落下をゼロに等しくできることから、重大な事故に繋がる恐れが非常に大なる高所からのケース落下事故を大に低減できて、高所での作業を安全に行うことができる。
【００３０】
また、ケース内に引き込まれる測定用テープが暴れて跳ね返ることで使用者や周囲の者に当り怪我を負わせることもゼロに等しくできるので、使用者や周囲の者の安全も確保できる。
【００３１】
また、測定形態として、測定用テープをヘアピン状や所望の角度に曲げて長さ測定を行った場合でも、該ヘアピン状や所望の角度に曲げた部位がケース内に引き込まれるまで十分に自己復帰力によって直線状に戻れるので、測定用テープをスムースにケース内に引き込むことができて、テープ折れを防止できる。
【００３２】
さらには、ケースの測定用テープ出入り口に備えるダンパを、ゴム板などの弾性体で形成したり、場合によっては無くす（廃止）ことも可能になる。
【図面の簡単な説明】
【００３３】
【図１】本考案に係る巻尺の一例を示す半ケースを取り外した状態の斜視図。
【図２】図１中の矢印Ａ方向から見る巻尺の一部切り欠き断面図。
【図３】一般的な回転ダンパの概略構造例を示した断面図。
【図４】巻尺の一例を示した斜視図。
【考案を実施するための形態】
【００３４】
以下、本考案に係る巻尺の測定用テープ巻き取り速度の制御方法を、添付図面に示す具体例に基づいて説明する。
また、本実施例で示した回転ダンパは、一方向に対して回転反力が生じるものである。
【００３５】
本考案の測定用テープ巻き取り速度の制御方法は、図１に示すように、回転ダンパ１を、周囲に測定用テープ２を巻き回する巻き回収容体（被作動体）たる回転ドラム３に接続している。
該回転ドラム３は、図２に示すように、２つ割りの一方のハーフケース４に立設する軸５に軸支され、また、内部にぜんまいばね６が設けられおり、該ぜんまいばね６の一方は、軸５に接続され、他方は、回転ドラム３の測定用テープ２を巻き回するための巻き胴３ａに接続されている。
【００３６】
回転ダンパ１と回転ドラム３との接続は、図２に示すように、回転ダンパ１の回転軸１ａを回転ドラム３の回転軸線上に位置させて、該回転ドラム３の接続部３ｂと接続している。
【００３７】
上記回転ダンパ１は、図示は省略しているが、２つ割りの他方のケースに公知の技術によって固定している。
【００３８】
なお、回転ダンパ１の回転軸１ａと回転ドラム３の接続部３ｂは、必要に応じて回転ドラム３の回転ぶれを吸収可能な緩衝部材を介して接続してもよい。
【００３９】
図３は、一般的な回転ダンパの概略構造の一例であり、ケース１１内に立設する軸１２に、外部からの回転を受動するための回転軸１３をケース１１外に突出させたロータ１４が支持され、また、ケース１１内にはシリコンオイル１５が充填されている。
【００４０】
以下、上述のように構成した巻尺の測定用テープの巻き取り速度の制御を、図１、図２にて説明する。
【００４１】
先ず、測定作業の実施によりケースの測定用テープ出入り口７に係止している先端フック８を引いてケース内から測定用テープ２を引き出すと、同測定用テープ２の引き出しによって回転ドラム３が回転すると共に、回転ダンパ１も回転する。
【００４２】
このとき、該回転ダンパ１には回転反力（巻き胴３ａ）は生じず、測定用テープ２はスムースにケース内から出ていく。
【００４３】
そして、測定用テープ２が引き出されることにより回転ドラム３も回転し、該回転ドラム３に内装するぜんまいばね６が巻かれて同ぜんまいばね６に付勢力が蓄積していく。
【００４４】
また、引き出した測定用テープ２をケース内に収納するときは、該測定用テープ２を保持する手を離す。
【００４５】
これにより、回転ドラム３に内装するぜんまいばね６に蓄積された付勢力が解放され、同ぜんまいばね６が初期状態に復帰する動作に移行し、同時に回転ドラム３が測定用テープ２の引き出し方向とは反対の方向に回転すると共に、該回転ドラム３の回転が回転ダンパ１に伝達される。
【００４６】
そうすると、回転ダンパ１の回転反力（回転抵抗）によって回転ドラム３の加速が抑制され、測定用テープ２は設定速度をほぼ保ちケース内に引き込まれると共に、回転ドラム３の巻き胴３ａに巻き回される。
【００４７】
本実施例中では図示していないが、回転ドラム３の回転を、同回転ドラム３に設けたプーリや歯車などの回転部から、ベルトや歯車などの回転伝達手段を介して回転ダンパ１に伝達するようにしてもよい。
【００４８】
本実施例中では図示していないが、測定用テープ２の少なくともケース内への引き込み移動時の直線運動を、例えば、テープ面に接触するローラなどを介して回転ダンパ１に伝達するようにしてもよい。
【００４９】
本実施例中では図示していないが、回転ダンパ１の選定だけでは測定用テープ２の巻き取り速度が所望の速度にならない場合は、該回転ダンパ１と回転ドラム３間に歯車などの回転伝達比率変更手段を設けて調整してもよい。
【００５０】
本実施例中では図示していないが、回転ダンパ１と回転ドラム３間に変速機などの回転伝達比率変更手段を設け、使用者自身で測定用テープ２の巻き取り速度を変更できるようにしてもよい。
【００５１】
そして、本実施例に示したように、回転ダンパ１を、周囲に測定用テープ２を巻き回する被作動体たる回転ドラム３に接続する場合は、小型の巻尺に適し、また、回転ドラム３や測定用テープ２の運動を回転伝達手段によって回転ダンパ１に伝達する場合は、ケース内に空き空間を有するものに適す。
【００５２】
また、図４は、測定用テープ２を所望の引き出し位置で固定するためのブレーキ手段が内装され、同ブレーキ手段をＯＮ／ＯＦＦするためのブレーキレバー９を外部操作可能に設けた巻尺の一例である。
なお、図４中の符号４ａは、ハーフケース４の対になる他方のハーフケースである。
【００５３】
また、図２中の符号１０は、ケースを作業者のベルトに係着するためのベルトクリップである。
【符号の説明】
【００５４】
１…回転ダンパ
１ａ…回転軸
２…測定用テープ
３…回転ドラム
３ａ…巻き胴
３ｂ…接続部
４…ハーフケース
４ａ…ハーフケース
５…軸
６…ぜんまいばね
７…測定用テープ出入り口
８…先端フック
９…ブレーキレバー
１０…ベルトクリップ
１１…ケース
１２…軸
１３…回転軸
１４…ロータ
１５…シリコンオイル
【図１】
0003202482.tif 000003
【図２】
0003202482.tif 000004
【図３】
0003202482.tif 000005
【図４】
0003202482.tif 000006